(57)【特許請求の範囲】
【請求項１】
(Ａ)給水弁を備えたボールタップ本体と、水位に連動して昇降するフロートと、該給水弁と該フロートとを連繋する連繋アームとを備え、該フロートの昇降に連動して給水弁を開閉させて洗浄タンクへの給水及び給水停止を行うボールタップ装置と、
(Ｂ)該洗浄タンク内に配置された、該洗浄タンクよりも小容量の遅延槽を有して、該遅延槽内に前記フロートを位置させ、排水弁の開弁後に該遅延槽の内部の水を槽壁に形成した小孔を通じ流出させることにより、該遅延槽内の水位低下を槽外且つ前記洗浄タンク内の水位低下よりも遅らせて、前記給水弁の開弁による給水を遅延させる給水遅延機構と、
(Ｃ)凍結防止のための流動水を前記洗浄タンクに給水する流動水吐水口と、
を有する便器洗浄タンク装置であって、
前記流動水が前記遅延槽に向って落下するような位置で前記流動水吐水口が該遅延槽に対して上方に配置してあるとともに、該遅延槽の上側には、前記流動水吐水口から落下した流動水を受けて該遅延槽外且つ前記洗浄タンク内に導く水受部材が設けてあることを特徴とする便器洗浄タンク装置。
【請求項２】
請求項１において、前記流動水吐水口は、前記流動水を前記連繋アームを伝って落下させるものであることを特徴とする便器洗浄タンク装置。
【請求項３】
請求項２において、前記連繋アームには、前記水受部材の上方位置で、該連繋アームを伝って流下して来た流動水を該水受部材の上方で水切りして該水受部材に向け落下させる水切部が設けてあることを特徴とする便器洗浄タンク装置。
【発明の詳細な説明】
【技術分野】
【０００１】
この発明は洗浄タンク内部に便器の洗浄水を貯える便器洗浄タンク装置に関し、特に排水弁の開弁後にボールタップの給水弁を遅らせて開弁させる給水遅延機構及び凍結防止のための流動水吐水口を備えたものに関する。
【背景技術】
【０００２】
内部にボールタップを備えた一般の便器洗浄タンク装置にあっては、排水弁を開いて洗浄タンク内に貯溜してある洗浄水を便器に向けて放出すると、水位の低下によってボールタップのフロートが下降して給水弁を開き、排水弁の開弁後に直ちにタンク内への給水を開始する。
この場合、給水弁の開弁によりタンク内に給水された水もまた、タンク内に貯溜されていた洗浄水とともに洗浄タンクの放出口から便器に向けて放出され、便器洗浄水として用いられる。
【０００３】
しかしながら便器洗浄のための洗浄水量としては、洗浄タンク内にもともと貯溜されていた洗浄水の水量だけで十分であり、そこに新たな給水が加わって便器洗浄用として用いられても、その給水は余分な水量となり、多くの水が無駄に放出されてしまうこととなる。
【０００４】
このようなことから、排水弁の開弁後に直ちにボールタップの給水弁を開いて給水を行うのではなく、排水弁の開弁後に給水弁を遅らせて開弁させるための給水遅延機構を設けたものが従来提案されている。
例えば下記特許文献１に、この種の給水遅延機構を設けた便器洗浄タンク装置が開示されている。
【０００５】
図９はその具体例を示している。
同図において３００は便器洗浄タンク装置、３０２は洗浄タンクであり、３０４はその内部に配置されたボールタップである。
ここでボールタップ３０４は、給水弁と、給水弁の開弁によりタンク内給水を行う給水口３０６と、フロート３０８及びフロート３０８と給水弁とを連繋する連繋アーム３１０とを有している。
３１２は給水遅延機構で、３１４はその主要素をなす小容量の遅延槽である。
【０００６】
遅延槽３１４は底部に小孔３１６を有しており、遅延槽３１４内部の洗浄水Ｗ２はこの小孔３１６を通じて槽外部、即ち洗浄タンク３０２内に流出する。
尚、３１８は洗浄タンク３０２底部の放出口であり、３２０はこれを開閉する排水弁である。
【０００７】
この便器洗浄タンク装置３００では、排水弁３２０を開くと洗浄タンク３０２内に貯留されていた洗浄水Ｗ１が、放出口３１８から便器に向けて一気に放出されるが、遅延槽３１４内の洗浄水Ｗ２は小孔３１６を通じて少しずつ流出するため、洗浄水Ｗ１の水位が速やかに下降するのに対して、遅延槽３１２内の洗浄水Ｗ２の水位の低下は遅く、従って排水弁３２０が開いて洗浄水Ｗ１が放出開始されても直ぐにはボールタップ３０４の給水弁は開かず、タンク内への給水は行われない。
【０００８】
ここでは洗浄水Ｗ１が全体的に放出されて排水弁３２０が閉じるタイミングで、そこで初めて洗浄水Ｗ２の水位の低下に基づいてボールタップ３０４の給水弁が開き、タンク内への給水が開始される（そのように小孔３１６の大きさ，つまり小孔３１６からの流出流量が定められている）。
従ってこの便器洗浄タンク装置３００では、排水弁３２０の開弁後の、給水口３０６からの給水が便器洗浄水として無駄に消費されてしまうのを防止することができる。
【０００９】
ところで、寒冷地においては配管内や便器のトラップ部の水が凍結を起す問題があり、そこで寒冷地に用いられる便器洗浄タンク装置としては、小量で水を連続的に流して便器に給水する流動水吐水口を備えたものが用いられる。
【００１０】
ところが洗浄水吐水口からの流動水が落下する位置に遅延槽３１４が位置していたりすると、流動水吐水中に便器洗浄を行ったときに、流動水が遅延槽３１４内部に入ることによって、排水弁３２０を開いて洗浄タンク３０２内に貯溜してある洗浄水Ｗ１を放出しても、遅延槽３１４内の水位が予定した通りに低下して行かないといった問題を生ずる。
【００１１】
具体的には、遅延槽３１４の小孔３１６からの流出流量よりも遅延槽３１４内に入り込む流動水の流量が多いときには、いつまでたっても遅延槽３１４内の水位は低下せず、また遅延槽３１４内に入り込む流動水の流量が小孔３１６から流出する流量よりも少なかった場合であっても、遅延槽３１４内の水位の低下が予定よりも遅くなり、何れの場合においても排水弁３２０の開弁後の適正なタイミングでボールタップ３０４の給水弁を開いてタンク内給水を行うといったことができなくなってしまう。
【００１２】
例えば洗浄タンク３０２内への給水は、排水弁３２０が開いて内部に貯留してある洗浄水Ｗ１を放出し終え、そして排水弁３２０が閉じるタイミングで行うようにするのが望ましいが、そのような適正なタイミングで給水弁を開き、給水開始させるといったことができなくなってしまう。
【先行技術文献】
【特許文献】
【００１３】
【特許文献１】実開昭６３−１２６４７１号公報
【発明の概要】
【発明が解決しようとする課題】
【００１４】
本発明は以上のような事情を背景とし、給水遅延機構，流動水吐水口をボールタップ装置とともに備えた便器洗浄タンク装置において、流動水吐水口から落下した水が給水遅延機構の遅延槽内に入り込むのを防止し得て、給水弁の開弁によるタンク内給水を適正なタイミングで開始させることのできる便器洗浄タンク装置を提供することを目的としてなされたものである。
【課題を解決するための手段】
【００１５】
而して請求項１のものは、(Ａ)給水弁を備えたボールタップ本体と、水位に連動して昇降するフロートと、該給水弁と該フロートとを連繋する連繋アームとを備え、該フロートの昇降に連動して給水弁を開閉させて洗浄タンクへの給水及び給水停止を行うボールタップ装置と、(Ｂ)該洗浄タンク内に配置された、該洗浄タンクよりも小容量の遅延槽を有して、該遅延槽内に前記フロートを位置させ、排水弁の開弁後に該遅延槽の内部の水を槽壁に形成した小孔を通じ流出させることにより、該遅延槽内の水位低下を槽外且つ前記洗浄タンク内の水位低下よりも遅らせて、前記給水弁の開弁による給水を遅延させる給水遅延機構と、(Ｃ)凍結防止のための流動水を前記洗浄タンクに給水する流動水吐水口と、を有する便器洗浄タンク装置であって、前記流動水が前記遅延槽に向って落下するような位置で前記流動水吐水口が該遅延槽に対して上方に配置してあるとともに、該遅延槽の上側には、前記流動水吐水口から落下した流動水を受けて該遅延槽外且つ前記洗浄タンク内に導く水受部材が設けてあることを特徴とする。
【００１６】
請求項２のものは、請求項１において、前記流動水吐水口は、前記流動水を前記連繋アームを伝って落下させるものであることを特徴とする。
【００１７】
請求項３のものは、請求項２において、前記連繋アームには、前記水受部材の上方位置で、該連繋アームを伝って流下して来た流動水を該水受部材の上方で水切りして該水受部材に向け落下させる水切部が設けてあることを特徴とする。
【発明の作用・効果】
【００１９】
以上のように請求項１のものは、流動水吐水口からの流動水が遅延槽に向って落下するような位置で、流動水吐水口が遅延槽に対して上方に配置してあるとともに、遅延槽の上側には流動水吐水口から落下した流動水を受けて遅延槽の槽外且つ洗浄タンク内に導く水受部材が設けてあるもので、この請求項１のものでは、給水遅延機構における遅延槽に向って流動水吐水口から落下した流動水を、水受部材で受けて遅延槽外に導くため、流動水が遅延槽内に入り込んでしまうのを防止でき、これにより流動水遅延機構を正常に動作させ得て、給水弁を適正なタイミングで開き、タンク内給水を開始させることができる。
【００２０】
この請求項１においては、流動水吐水口と遅延槽とを水平方向に大きく位置をずらせて配置しなくても良い利点が得られる。
【００２１】
特に流動水吐水口を以下のようになした場合、具体的には請求項２に従って流動水をボールタップの連繋アームを伝ってタンク内に落下させるようになした場合、流動水がタンク内貯溜水に勢い良く落下して、そこで大きな着水音を発生させるといった問題を回避できるが、一方でこのようにした場合、流動水吐水口を遅延槽に対しその直上若しくは遅延槽よりも上方で水平方向に近い位置に位置させることが必要となる。
このような事情の下においても、請求項１によれば流動水吐水口と遅延槽とを無理に水平方向に位置をずらせなくても、流動水による大きな着水音の発生防止と、給水遅延機構の正常な動作とをともに実現することが可能となる。
【００２２】
この場合において、連繋アームには水受部材の上方位置で、連繋アームを伝って流下して来た流動水を水切りし、下方の水受部材に落下させる水切部を設けておくことができる（請求項３）。
このようにすることで、連繋アームを伝って流下してきた水を水切部にて良好に水受部材の側に落下させ、水受部材によって遅延槽外部へと導くことができる。
【図面の簡単な説明】
【００２４】
【図１】本発明の一実施形態の便器洗浄タンク装置を示した図である。
【図２】同実施形態における要部としてのボールタップ装置，流動弁，給水遅延機構を水受部材とともに示した図である。
【図３】図２示した各部を図２とは異なる方向で示した図である。
【図４】同実施形態における給水弁を周辺部とともに拡大して示した図である。
【図５】本実施形態における水切部材を流動弁，流動水吐水口等とともに示した図である。
【図６】同実施形態における水受部材を給水遅延機構の遅延槽とともに示した図である。
【図７】図６の水切部材を取付状態で周辺部とともに示した図である。
【図８】参考例を示した図である。
【図９】従来公知の給水遅延機構を備えた便器洗浄タンク装置を示した図である。
【発明を実施するための形態】
【００２５】
次に本発明の実施形態を図面に基づいて詳しく説明する。
図１において、１０は便器洗浄タンク装置１１における洗浄タンクで、（ここでは陶器製又は樹脂製の）アウタタンク１２と、その内側の貯水タンクとなる樹脂製のインナタンク１４との２重タンク構造をなしている。
アウタタンク１２の上部には、その蓋を兼用した手洗鉢１６が設けられており、この手洗鉢１６から起立する形態で手洗吐水管１８が手洗鉢１６に設けられている。
手洗鉢１６の底部には排水口が設けられており、手洗吐水管１８から吐水された手洗水が、この排水口から洗浄タンク１０内部へと落下する。
【００２６】
２２は、洗浄タンク１０内部に配設されたボールタップ装置で、ボールタップ本体２４を有しており、そのボールタップ本体２４がインナタンク１４に取り付けられ、そしてそのボールタップ本体２４に対して給水管２６が接続されている。
給水管２６を通じて供給された水は、ボールタップ装置２２の後述の図２に示す給水弁５８の開弁によって洗浄タンク１０内部に給水され、また給水弁５８の閉弁によって給水停止される。
【００２７】
ボールタップ装置２２は、後述する遅延槽２００内部の洗浄水Ｗ２の水位に連動して昇降するフロート２８と、フロート２８と給水弁５８とを連繋する連繋アーム３０とを有している（フロート２８及び連繋アーム３０は何れも樹脂製）。
また連繋アーム３０は、図３に示すようにアーム部３２と、その先端から下向きに延びる軸部３４とを有しており、その軸部３４に対してフロート２８が組み付けられている。
尚フロート２８には、中心部に雌ねじ孔を有する操作リング２９が回転可能に保持部３１にて保持されており、その操作リング２９の雌ねじ孔が軸部３４の雄ねじ部に螺合されている。
フロート２８は、操作リング２９を回転操作することによって、軸部３４に沿ってその位置が上下に調節可能とされている。
【００２８】
洗浄タンク１０の壁部には、洗浄ハンドル３６が回転可能に設けられている。
３８は、洗浄タンク１０内部において洗浄ハンドル３６に連動して回動する、Ｌ字状をなす作用レバーで、その先端が鎖４０を介してタンク底部の放出口１３を開閉する排水弁１５に連結されている。
その排水弁１５は、洗浄ハンドル３６の回転操作によって閉弁状態から開弁させられ、これにより洗浄タンク１０内部に貯溜されている洗浄水Ｗ１が、洗浄タンク１０底部の放出口１３から便器に向けて勢い良く放出される。
尚図１において４２はオーバーフロー管である。
【００２９】
図２において、４４はボールタップ本体２４の本体ボデーで全体として筒状をなしている。
この本体ボデー４４の図２中左端部には図１の給水管２６が接続され、また右端部には、本体ボデー４４とは別体をなし且つボールタップ本体２４の一部を成す接続管４６の左端部が外嵌状態に接続されている。
【００３０】
接続管４６には、本体ボデー４４からの水を洗浄タンク１０、具体的にはインナタンク１４内に給水する給水口（タンク内給水口）５０と、図１の手洗吐水管１８に向けて供給するための手洗用給水口（図示省略）及び図１のオーバーフロー管４２を通じて便器に補給水として供給する補給口４８が設けられている。
【００３１】
手洗用給水口は図示を省略する蛇腹管にて手洗吐水管１８と接続され、また補給口４８には図１に示すチューブ４９が接続されており、本体ボデー４４からの水が、その蛇腹管を通じて手洗吐水管１８に、また図１のチューブ４９を通じて補給口４８からオーバーフロー管４２の内部へと供給されるようになっている。
【００３２】
図２に示しているように、ボールタップ本体２４には水路５６を連通及び連通遮断する給水弁５８が設けられている。この給水弁５８は、フロート２８の昇降に伴って連繋アーム３０が図４に示す軸６０周りに回動することで開弁及び閉弁せしめられる。
具体的には、フロート２８の上昇により連繋アーム３０が図４の軸６０周りに時計回りに回動することで、給水弁５８が閉弁せしめられ、またフロート２８の下降に伴って連繋アーム３０が軸６０周りに図中反時計回りに回動運動することで、給水弁５８が開弁せしめられる。
【００３３】
而して給水弁５８が開弁すると水路５６が連通状態即ち開放状態となって、給水管２６からの水が本体ボデー４４から接続管４６へと流れ込み、そしてその接続管４６の給水口５０から洗浄タンク１０内に向けて給水され、また手洗用給水口を通じて手洗吐水管１８に、更に補給口４８を通じてオーバーフロー管４２を通じ便器へと給水される。
【００３４】
本実施形態において、給水弁５８はダイヤフラム式且つパイロット式の弁とされている。
図４にその構成が具体的に示してある。
図４において、６２は給水弁５８における主弁体でダイヤフラム弁体から成っている。
この主弁体６２は、ゴム等の弾性材から成るダイヤフラム膜６６と、これよりも硬質の（ここでは樹脂製）ダイヤフラムホルダ６８とから成っている。
【００３５】
ダイヤフラム膜６６は外周部７０が厚肉とされており、この外周部７０が、本体ボデー４４とカップ状をなすダイヤフラム押え７２とによって上下に挟持されている。そしてそれらによる挟持によってダイヤフラム膜６６の外周部７０が、本体ボデー４４に固定されている。
ここでダイヤフラム膜６６の外周部７０は同時にシール部としての働き、即ち水路５６と外部とを水密に遮断し、シールする働きをなしている。
【００３６】
このカップ状をなすダイヤフラム押え７２は、本体ボデー４４に一体に構成された円筒部７４に対して、図中下側から上向きに内嵌状態に嵌入せしめられ、そして円筒部７４の外周面の雄ねじ７６に対して、固定ナット８０の内周面の雌ねじ７８が螺合されることによって、ダイヤフラム押え７２が円筒部７４に即ち本体ボデー４４に固定されている。
【００３７】
即ちこの実施形態では、固定ナット８０を図中上向きにねじ込むことで、円筒部７４に内嵌状態に嵌入されたダイヤフラム押え７２が上向きに押し上げられて、かかるダイヤフラム押え７２が本体ボデー４４と協働してダイヤフラム膜６６の外周部７０を所定の締代で弾性圧縮状態に締め付ける構造となっている。
【００３８】
カップ状をなすダイヤフラム押え７２は、背圧室形成部材としての働きも有しており、ダイヤフラム弁体から成る主弁体６２の図中下側の背後に背圧室８２を形成している。
この背圧室８２は、内部の圧力を主弁体６２に対して図中上向きの閉弁方向の押圧力として作用させる。
【００３９】
一方、主弁体６２には中心から偏心した位置において、水路５６における１次側と背圧室８２とを連通させる貫通の導入小孔８４が設けられている。
この導入小孔８４は、水路５６における１次側の水を背圧室８２に流入させて背圧室８２の圧力を増大させる働きをなす。
【００４０】
一方ダイヤフラム押え７２には、その中心部にこれを貫通する水抜水路としてのパイロット水路８６が設けられている。
このパイロット水路８６は、背圧室８２内の水を抜いて背圧室８２の圧力を減少させる働きをなす。
【００４１】
上記連繋アーム３０のアーム部３２の基端部にはパイロット弁体８８が設けられ、このパイロット弁体８８のシール部９０がパイロット弁座９２に上向きに着座することでパイロット水路８６が閉鎖される。
【００４２】
この実施形態において、給水弁５８は次のように作用する。
即ち、図４に示す給水弁５８の閉弁状態の下で、図２のフロート２８の下降により連繋アーム３０が軸６０周りに回動してパイロット弁体８８がパイロット弁座９２から図中下向きに離間し開弁すると、図４の背圧室８２内の水がパイロット水路８６を通じて流出し、背圧室８２の圧力が減少する。
すると水路５６における１次側の圧力が背圧室８２の圧力に打ち勝つに到って、主弁体６２が図４に示す閉弁状態から下向きに離間し開弁する。
【００４３】
そして主弁体６２が開弁することで水路５６が連通状態となり、本体ボデー４４から図２の接続管４６及び補給口４８に向けて水が流れ込む。
【００４４】
一方、フロート２８の上昇に連動して連繋アーム３０が図２の軸６０周りに時計回りに回動運動すると、フロート２８が上昇端に到ったところで、即ち洗浄タンク１０内の水が設定した満水状態になったところで、パイロット弁体８８のシール部９０がパイロット弁座９２に上向きに着座して閉弁し、ここにおいて背圧室８２からの水の流出が停止する。
【００４５】
すると導入小孔８４を通じての背圧室８２への水の流入により背圧室８２の圧力が上昇し、そしてその圧力上昇によってダイヤフラム弁から成る主弁体６２が主弁座６４に上向きに着座し、閉弁する。
ここにおいて水路５６の水の流れが停止し、洗浄タンク１０及び手洗吐水管１８への給水が停止する。
【００４６】
尚図４において、９７は導入小孔８４内に挿入されて導入小孔８４をクリーニング作用するクリーニングピンであり、このクリーニングピン９７は、コイルばね９５の下端に続いて図中上向きに起立する形態で、コイルばね９５に一体に形成されている。
【００４７】
図２において、１００は流動弁装置で、水路５６における給水弁５８よりも上流側の１次側から分岐して延び出す流動水路１０２と、これを内側に形成するための円筒状の筒壁１０４とを有している。図５において、１０８はその流動水路１０２の分岐口を表している。
ここで筒壁１０４は、上向きに起立する形態でボールタップ本体２４、詳しくは本体ボデー４４に一体に構成されている。
【００４８】
図５において、１０６は筒壁１０４から流動水を流出させる開口で、この開口１０６は筒壁１０４の付根よりも所定距離上側位置で、筒壁１０４を貫通して横向き（径方向外向き）に設けられている。
流動水路１０２に導かれた１次側の水は、後述の流動弁１１０の開弁により、この開口１０６から小量で連続して筒壁１０４外に流出する。
開口１０６から流出した流動水は、後述の流動水吐水口１５０から外部に吐水されて、洗浄タンク１０内に供給される。
供給された流動水は洗浄タンク１０内のオーバーフロー管４２を通じて便器へと連続的に給水される。
【００４９】
筒壁１０４の内部には、図５にも示すように流動水路１０２を開閉する流動弁１１０が設けられている。
流動弁１１０は、円筒形状の弁ハウジング１１２と、軸状の弁体１１４とを有しており、その弁ハウジング１１２が、筒壁１０４の内部に嵌合状態に固定されている。
またこの弁ハウジング１１２の内部に、弁体１１４が軸方向（上下方向）に摺動可能に嵌合されている。
ここで弁ハウジング１１２は、固定クリップ１３６により筒壁１０４に対して軸方向（上下方向）に固定されている。
【００５０】
軸状をなす弁体１１４は下端側に弁部１２２を、上端側に連結部１２４を有し、その連結部１２４に対して後述の図２に示す操作部１３８における伝達部材１４２の先端部、詳しくはインナケーブル１４４の先端部が連結されている。
図５中１３０は、その下端側の弁部１２２と上端側の連結部１２４との間の中間部を表しており、この中間部１３０は横断面形状が十字状をなしている。
【００５１】
下端側の弁部１２２は、円環状のシール部材１２６を有している。
弁部１２２は、このシール部材１２６を弁ハウジング１１２の内周側に形成された弁座１２８に水密に嵌合させることで閉弁する。
また一方、弁体１１４が図中下向きに前進移動し、シール部材１２６が弁座１２８から下向きに離間することで開弁する。その開弁状態において流動水路１０２が開放され、水路５６における１次側から流動水路１０２に流入した水（流動水）が、上記の開口１０６から筒壁１０４外に流出する。
【００５２】
図２に示すように、伝達部材１４２は、可撓性を有し且つ軸方向に非伸縮性のインナケーブル（インナ部材）１４４と、これを移動案内するアウタケーブル（アウタチューブ）１４６とを有しており、そのアウタケーブル１４６内部にインナケーブル１４４が摺動可能に挿通されている。
【００５３】
ここでは、図２においてインナケーブル１４４が図中右向きに押されることで、弁体１１４が図中下向きに移動し開弁する。
また逆にインナケーブル１４４が図２中左向きに引かれることで、弁体１１４が図５中上向きに移動して閉弁する。
但し凍結防止を図る必要があるときには、弁体１１４は開弁状態に維持され、従って水路５６における１次側の水は小量で連続的に流動水路１０２を流れて、開口１０６から筒壁１０４外に流出する。
【００５４】
伝達部材１４２は、図２に示しているように右端側（先端側）が曲り管１７６の内部に挿入されており、伝達部材１４２の先端部が、曲り管１７６によって図中下向きに保持された状態で組付ナット１７８により流動弁１１０に組み付けられている。
【００５５】
詳しくは、図５に示すように組付ナット１７８の雌ねじ部が、流動弁１１０における弁ハウジング１１２の雄ねじ部にねじ込まれることで、アウタケーブル１４６の下端を受ける受部材１８４のフランジ部と、曲り管１７６のフランジ部とが、組付ナット１７８の内向きのフランジ部１８６と弁ハウジング１１２とで上下に挟持され、そしてそのことによって受部材１８４と曲り管１７６の下端部とが固定され、併せてアウタケーブル１４６の下端が弁ハウジング１１２に固定されている。
またインナケーブル１４４に固定された端部材１８８が、流動弁１１０における弁体１１４の係合凹部１９０に係合されることで、インナケーブル１４４の先端部が弁体１１４に一体移動状態に固定され、連結されている。
【００５６】
この実施形態において、上記組付ナット１７８は、下向きに垂下して上記横向きの開口１０６から径方向に離隔した位置で開口１０６に対向し、これを外側から覆う円筒状のカバー壁１９２を一体に有している。
カバー壁１９２は、開口１０６よりも下側まで延びており、筒壁１０４との間に下向きの流動水吐水口１５０を形成している。
【００５７】
この実施形態において、開口１０６から流出した流動水は、図５に示しているようにカバー壁１９２に当って下向きの流れとなり、流動水吐水口１５０から下向きに吐水される。
このとき流動水吐水口１５０から吐水された流動水は、そのほとんどがカバー壁１９２からの反力で筒壁１０４の外面側に押し返され、筒壁１０４の外面を伝って下向きに流下して行く。
尤もその一部は、筒壁１０４の外面を伝わらないで流動水吐水口１５０からそのまま落下する場合もある。
【００５８】
但しこの実施形態では、ボールタップ装置２２における連繋アーム３０をボールタップ本体２４に固定するための固定ナット８０が、上記組付ナット１７８のカバー壁１９２よりも大径をなしていて、この固定ナット８０がカバー壁１９２よりも径方向外方まで突出しているため、固定ナット８０が、カバー壁１９２と筒壁１０４との間の下向きの流動水吐水口１５０から筒壁１０４を伝わらないで直接落下した水を受ける水受部として働く。
尚このとき、ボデー４４に一体に構成された上記の円筒部７４もまたその水受部の一部として働く。
従ってこの実施形態では、流動水吐水口１５０から吐水された水は、ほぼ全体が固定ナット８０を経て連繋アーム３０を伝わるように流下して行く。
【００５９】
具体的には、本実施形態ではボールタップ本体２４の筒壁１０４とは反対側の下側位置から連繋アーム３０が延び出して、その軸部３４及びフロート２８が洗浄水中に入り込んでいるため、筒壁１０４の外面を伝って流下した水、及びその筒壁１０４の外面を伝わらないで直接下向きに落下した一部の水は、その殆んどがボールタップ装置２２における連繋アーム３０を伝って更に流下して行く。
【００６０】
本実施形態では、図１に示しているようにインナタンク１４よりも小容量の、給水遅延機構２０２の主要素を成す遅延槽２００がインナタンク１４内部に設けられている。
ここで遅延槽２００は、その上端がインナタンク１４内部の満水状態の洗浄水Ｗ１の上面の水位よりも若干低くなるように設けられている。
【００６１】
図６に示しているようにこの遅延槽２００は、上向きに延び出す一対のアーム２０６を一体に有している。
これらアーム２０６の上端は折曲げ形状の固定部２０８とされており、遅延槽２００は、インナタンク１４の図１中前後（紙面と直角方向）の壁部の上端面に固定部２０８を掛止した状態で、固定孔２１０においてインナタンク１４に固定される。
この遅延槽２００の外面には縦に延びる凹状部２１２が一対設けられており、それらの上端に後述の爪部２２６を掛止させるための掛止部２１４が、凹状部２１２の底面から突出する状態に設けられている。
【００６２】
図１に示しているように、この遅延槽２００の底部２１５には貫通の小孔２０４が設けられており、遅延槽２００内部の洗浄水Ｗ２が、この小孔２０４を通じて槽外且つインナタンク１４内に流出するようになっている。
【００６３】
ここで小孔２０４は、排水弁１５の開弁後におけるインナタンク１４内の洗浄水Ｗ１の水位低下に比べて、遅延槽２００内の洗浄水Ｗ２の水位低下が遅くなるように、その大きさが定めてある。
具体的には、ここでは排水弁１５の開弁によりインナタンク１４内の洗浄水Ｗ１が放出されて排水弁１５が閉弁するときのタイミングで、上記の給水弁５８が開弁して（全開状態となって）ボールタップ２２が最大給水量で給水開始するようにその大きさが定められている。
【００６４】
本実施形態において、ボールタップ２２における上記のフロート２８は、遅延槽２００内部の水位低下に応じて給水弁５８を開弁させるべく、遅延槽２００上面の開放部からその内部に挿入されている。
その関係から、上記の流動水吐水口１５０はこの遅延槽２００の上方に配置されている。
【００６５】
本実施形態では、流動水吐水口１５０からの流動水は連繋アーム３０を伝って流下する。
従って連繋アーム３０を伝って流下した流動水が、そのままフロート２８まで伝って流れると、その流動水が遅延槽２００内にそのまま入り込むこととなる。
【００６６】
そこでこの実施形態では、遅延槽２００の上側に水受部材２１６を取り付けておくことで、流動水吐水口１５０からの流動水がそのまま遅延槽２００内に入り込むのを防止するようになしている。
ここで水受部材２１６は、図６に詳しく示しているように傾斜形状の底部２１８と、底部２１８の外周縁に沿って立ち上がる一対の側壁部２２０及び後壁部２２２とを有する、全体として樋状の部材として構成してあり、後壁部２２２と反対側の面が開放形状となしてある。
【００６７】
また一方の側壁部２２０には、連繋アーム３０を挿通させるための切欠部２２４が設けてある。更にこの水受部材２１６には下向きに突出する弾性を有する爪部２２６が、前端と後端（図６中左端と右端）に下向きに突出する状態で設けてある。
水受部材２１６は、それら爪部２２６を、遅延槽２００の上記の掛止部２１４に図中上方から下向きに掛止させることで、遅延槽２００の上面に載置状態に取り付けられる。
【００６８】
尚この水受部材２１６には、切欠部２２４を設けた側の側壁部２２０とは反対側の側壁部２２０外面に凹部２２８が設けられている。この凹部２２８は、遅延槽２００の上記のアーム２０６との干渉回避のためのものである。
【００６９】
図５に示しているように、上記の連繋アーム３０のアーム部３２には、水受部材２１６の上側において水切部２３０が固定状態に設けられている。ここで水切部２３０は、アーム部３２に一体に成形されている。
【００７０】
水切部２３０は、図７に示しているように全体としてアーム部３２周りを取り囲む形状で板状をなしており、アーム部３２より上側の部分がほぼ垂直上方に起立する起立部２３２を成し、またこれより下部が、水受部材２１６の中央側に向って斜めに傾斜する傾斜部２３４をなしている。
【００７１】
従ってこの実施形態では、流動水吐水口１５０からの流動水がボールタップ２２の連繋アーム３０を伝って流下するにも拘わらず、アーム部３２の途中で流動水が水切部２３０で水切りされ、水受部材２１６に落下せしめられる。そして更にその水受部材２１６によって、遅延槽２００外に導かれる。そのため流動水吐水口１５０からの流動水が、遅延槽２００内へと入り込むのが有効に防止される。
【００７２】
具体的には、流動水吐水口１５０から吐水された流動水は、固定ナット８０を経て連繋アーム３０のアーム部３２に沿って流れるが、そのアーム部３２には水切部２３０が設けられていて、アーム部３２の外面を伝って流れる流動水が水切部２３０で堰き止められた上、水受部材２１６へと落下せしめられる。
水受部材２１６に落下した流動水は、底部２１８の傾斜によって円滑に遅延槽２００外且つインナタンク１４内へと導かれ、流動水が遅延槽２００内に流入するのが阻止される。
【００７３】
尚、排水弁１５の閉弁後においては、ボールタップ２２からの給水によってインナタンク１４内部の洗浄水Ｗ１の水位が上昇し、そしてその水位が満水状態近くなると、インナタンク１４内部の洗浄水Ｗ１が遅延槽２００の上端を越えてその内部に流入し、遅延槽２００内に給水される。
【００７４】
以上のように本実施形態の便器洗浄タンク装置１１にあっては、流動水吐水口１５０からの流動水が遅延槽２００内に入り込むのを防止でき、給水遅延機構２０２を正常に動作させ得て、給水弁５８の開弁即ちタンク内給水の時期を適正なタイミングに維持することができる。
【００７５】
またこの実施形態は、流動水吐水口１５０と遅延槽２００とを無理に水平方向に位置をずらせて配置しなくても良い利点を有する。
流動水をボールタップ装置２２の連繋アーム３０を伝ってタンク内に落下させるようになした場合、流動水がタンク内貯溜水に勢い良く落下して、そこで大きな着水音を発生させるといった問題を回避できるが、一方でこのようにした場合、流動水吐水口１５０を遅延槽２００に対しその直上若しくは遅延槽２００よりも上方で水平方向に近い位置に位置させることが必要となる。
このような事情の下においても、本実施形態によれば、流動水吐水口１５０と遅延槽２００とを無理に水平方向に位置をずらせなくても、流動水による大きな着水音の発生防止と、給水遅延機構２０２の正常な動作とをともに実現することが可能となる。
【００７６】
また本実施形態によれば、連繋アーム３０を伝って流下してきた流動水を、水切部２３０にて効果的に水受部材２１６の側に落下させ、そして水受部材２１６によって遅延槽２００外部へと導くことができる。
【００７７】
図８は参考例を示している。
この例では、流動水吐水口１５０からの流動水を直接インナタンク１４内に落とすようにし、一方給水遅延機構２０２の遅延槽２００を、流動水吐水口１５０に対して水平方向位置をずらせて配置してある。
この例においても、流動水吐水口１５０からの流動水が、給水遅延機構２０２における遅延槽２００内に流入することを防止でき、従って遅延槽２００内に流動水が流入することによって、給水遅延機構２０２の動作が設定した動作を正しく実行しなくなるといったことを防止することができる。
【００７８】
以上本発明の実施形態を詳述したがこれはあくまで一例示である。
例えば本発明では第１の実施形態における水受部材２１６を上例以外の他の様々な形状で構成することが可能である。例えば水受部材としてパイプ状のものを用い、流動水吐水口１５０から出た流動水を、そのままパイプ状の水受部材の内部を流通させて遅延槽２００の槽外且つインナタンク１４内に導くようになすといったことも可能である。
その他本発明は他の様々な形態の流動水吐水口を有するものに適用することが可能である等、本発明はその趣旨を逸脱しない範囲において種々変更を加えた形態で構成可能である。
【符号の説明】
【００７９】
１０  洗浄タンク
１１  便器洗浄タンク装置
１４  インナタンク
１５  排水弁
２２  ボールタップ装置
２４  ボールタップ本体
２８  フロート
３０  連繋アーム
５８  給水弁
１５０  流動水吐水口
２００  遅延槽
２０２  給水遅延機構
２０４  小孔
２１６  水受部材
２３０  水切部
【図１】
0005732658.tif 000002
【図２】
0005732658.tif 000003
【図３】
0005732658.tif 000004
【図４】
0005732658.tif 000005
【図５】
0005732658.tif 000006
【図６】
0005732658.tif 000007
【図７】
0005732658.tif 000008
【図８】
0005732658.tif 000009
【図９】
0005732658.tif 000010